(57)【特許請求の範囲】
【請求項１】
噴霧ノズルを取着したポンプを容器の口部に装着した噴霧器であって、
ポンプが、シリンダー部材とピストン部材とからなり、
シリンダー部材が、大径円筒部と縮径円筒部とを具備しており、
ピストン部材が、ピストン本体と隔壁部材とからなり、
ピストン本体は、内周縁に沿ってピストン筒を立設し外周縁にスカートを連設した環状板を具え、該環状板には、そのピストン筒の下方に突出リングを垂設し、該突出リングの上部に連結杆を介して支持軸を連設しており、
隔壁部材は、支持軸に摺動自在に取着され、外周が突出リングの内周下端に圧接、離合可能とされた円錐筒と、下端にボール弁を係合した弁座を連接した円筒部と、円筒部より拡径され下端に摺動円錐筒を連設した拡径円筒部とを具備していることを特徴とする蓄圧式噴霧器。
【請求項２】
ピストン本体のスカートがシリンダーの大径円筒部に係合し、隔壁部材の摺動円錐筒が縮径円筒部に係合して蓄圧室を形成していることを特徴とする請求項１記載の蓄圧式噴霧器。
【発明の詳細な説明】
【０００１】
【発明の属する技術分野】
本発明は、蓄圧式噴霧器、とくに一定圧力になったときに内容液を定量噴出するようにした蓄圧式噴霧器に関する。
【０００２】
【従来の技術】
容器の口部に噴霧器を具えたポンプを取着し、ポンプ内の圧力室が一定の圧力に上昇したときに、定量の内容液を噴出するようにした蓄圧式噴霧器は、例えば、特開平９−１０３７１８号公報、特開平１０−７１３５０号公報、特開平１０−７６１５９号公報等にみられるよう従来より知られている。
【０００３】
【発明が解決しようとする課題】
しかしながら、従来の蓄圧式噴霧器は、いずれも吐出弁を含むピストン、またはプランジャーの構造が複雑であるという問題があった。
例えば、上記特開平９−１０３７１８号公報記載の噴霧器は、それ以前から知られているが、ピストンを付勢する第１ばねと、定圧噴出のための第２ばねとの二つのばねを使用しており、第２ばねの使用はピストン部の構造を複雑にしている。
【０００４】
上記特開平１０−７１３５０号公報、特開平１０−７６１５９号公報記載の噴霧器は、中空プランジャーの排出流路に吐出口を設け、上下動する吐出弁によって吐出口を開閉するようにしており、いずれも吐出弁を含むピストン、プランジャーの構造が簡単なものということができず、とくに、後者の公報記載の吐出弁は、その形状が複雑であるという問題があった。
【０００５】
本発明は、上記問題を解決することを課題とし、吐出弁をなくしてピストン部の構造を簡単にするとともに、蓄圧室の容積を大きくとれるようにした蓄圧式噴霧器を提供することを目的とする。
【０００６】
【課題を解決するための手段】
本発明は、上記の課題を解決するため、蓄圧式噴霧器として、噴霧ノズルを取着したポンプを容器の口部に装着した噴霧器であって、ポンプが、シリンダー部材とピストン部材とからなり、シリンダー部材が、大径円筒部と縮径円筒部とを具備しており、ピストン部材が、ピストン本体と隔壁部材とからなり、ピストン本体は、内周縁に沿ってピストン筒を立設し外周縁にスカートを連設した環状板を具え、該環状板には、そのピストン筒の下方に突出リングを垂設し、該突出リングの上部に連結杆を介して支持軸を連設しており、隔壁部材は、支持軸に摺動自在に取着され、外周が突出リングの内周下端に圧接、離合可能とされた円錐筒と、下端にボール弁を係合した弁座を連接した円筒部と、円筒部より拡径され下端に摺動円錐筒を連設した拡径円筒部とを具備していることを特徴とする構成を採用する。
【０００７】
蓄圧室の構成として、ピストン本体のスカートがシリンダーの大径円筒部に係合し、隔壁部材の摺動円錐筒が縮径円筒部に係合して蓄圧室を形成していることを特徴とする構成を採用する。
【０００８】
【発明の実施の形態】
次に、本発明の実施形態について、図面を参照して説明する。
図１において、Ａは容器の口筒部、Ｂは容器の口筒部に螺着されたキャップ、ＣはキャップＢにより容器口筒部に取着されたポンプ、ＤはポンプＣに取着された噴霧ノズルである。
【０００９】
容器口筒部Ａの外周には、ねじ１が螺設され、その下方にはネックリングが設けられ、容器の肩部につづいている。
【００１０】
キャップＢは、上壁２と側周壁３とを具えている。
上壁２は、その中央部が円形の開口となっており、その内周縁に沿って上下に延びるピストンの案内筒４が設けられ、該案内筒４の外側には、ノズル案内筒５が立設されている。
側周壁３の内周には、ねじ１に螺合するねじ６が螺設され、その上方には、膨出部７が設けられている。
【００１１】
図１，２に示すように、ポンプＣは、シリンダー部材Ｃ１とピストン部材Ｃ２とからなっている。
シリンダー部材Ｃ１は、環状の取付板１０とシリンダー筒１１とを具えており、シリンダー筒１１は、上部の大径円筒部１２と下部の縮径円筒部１３と底壁１４とからなり、底壁１４の中央には、開口１５が穿孔されている。
開口１５の周縁に沿って、支持筒１６が垂設されており、筒内には、吸込みパイプ１７が嵌着されている。
【００１２】
図２，３に示すように、ピストン部材Ｃ２は、有底筒状のピストン本体２０とピストン本体２０の下側に上下動自在に装着された筒状の隔壁部材２１とからなっている。
ピストン本体２０は、内周縁に沿ってピストン筒２２を立設し、外周にスカート２３を設けた環状板２４を具えている。
【００１３】
環状板２４の内周縁には、ピストン筒２２の下端から下方に延びる突出リング２５が垂設されており、突出リング２５の上方部には、中心方向に延びる複数の連結杆２６が延設されている。
該連結杆２６を介して、隔壁部材２１の支持軸２７が垂架されており、隣り合う連結杆２６と連結杆２６との間は、液吐出口２８となっている。
液吐出口２８は、ピストン筒２２内部の流路２２ａに続いている。
【００１４】
隔壁部材２１は、その上端を円錐筒３０とした円筒部３１とその下方に連続する拡径円筒部３２とを具えている。
円錐筒３０の内周は、支持軸２７に摺動可能に嵌合されており、外周は突出リング２５に接離可能となっており、突出リング２５を弁座とする吐出弁として機能している。
【００１５】
円筒部３１には、複数の流通孔３３が穿孔されており、下端にロート状の弁座３４が連設されており、該弁座３４には、吸込み用のボール弁３５が係合されている。
拡径円筒部３２の下端には、外方に広がり、上方に傾斜する摺動円錐筒３６が連設されており、拡径円筒部３２の内周上端下面と、シリンダー部材Ｃ１の底壁１４との間にコイルばね３７が弾装されている。
【００１６】
ピストン本体２０の環状板２４と、そのスカート２３、突出リング２５、および隔壁部材２１、シリンダー筒１１とによって、蓄圧室Ｐが形成されている。
そして、ピストン本体２０のスカート２３は、大径円筒部１２に摺接し、隔壁部材２１下端の摺動円錐筒３６は、縮径円筒部１３に摺接しており、ピストン部材Ｃ２の上下動に応じて容積が変化するようになっている。
【００１７】
噴霧ノズルＤは、頂壁４０と側周壁４１と嵌着筒４２とを具えている。
側周壁４１の上端近くの所定個所に環状溝が刻設され、環状溝には、中央に噴出孔４３を設け、噴出路４４を具えたノズルチップ４５が嵌着されている。
嵌着筒４２は、ピストン筒２２に嵌着され、その上端近くには、ノズルチップ４５の噴出路４４に連通する流路４６が設けられている。
【００１８】
次に、本発明噴霧器の使用態様と作用効果について説明する。
噴霧器の使用にあたって、まず、噴霧ノズルＤを数回上下動し、内容液を吸込みパイプ１７を通じて蓄圧室Ｐに吸い上げて、充満させる。
【００１９】
噴霧にあたっては、図４に示すように、噴霧ノズルＤを押下げるとピストン部材Ｃ２が下降し、大径円筒部１２に対応して形成される空間が減少し、蓄圧室Ｐの容積は減少するので、蓄圧室Ｐ内の内容液は加圧される。
一定の内圧になると、コイルばね３７の付勢力に抗して、隔壁部材２１が押し下げられ、ピストン本体２０の突出リング２５と、隔壁部材２１の円錐筒３０の外周との間に図４に示す間隙ｓが形成され、加圧された液は、液吐出口２８、流路２２ａを通じて噴霧ノズルＤに上昇し、噴霧される。
【００２０】
図５に示すように、噴霧は、噴霧ノズルＤの押下げが最下降位置に至るまで蓄圧室Ｐの容積が減少され、加圧されることによって継続される。
【００２１】
圧力が一定圧以下になると、ばね力によって隔壁部材２１が上昇して、突出リング２５と円錐筒３０との間の間隙ｓが閉ざされ、さらに、噴霧ノズルＤの押圧力を解くと、図６に示すように、ばね力によってピストン部材Ｃ２は上昇する。
【００２２】
上昇につれて、蓄圧室Ｐの容積は拡大して内圧が減少するので、吸込み用のボール弁３５が押し上げられ、内容液が吸込みパイプ１７を通じてシリンダー筒１１内に吸上げられ、蓄圧室Ｐに吸い込まれる。
かくして、噴霧ノズルＤの押下げに応じて、蓄圧室Ｐ内の一定量の液を噴霧することができる。
【００２３】
【発明の効果】
本発明は、上記のように構成されているから、次の効果を奏する。
ピストン部材を、ピストン本体とピストン本体の支持軸の下端に摺動自在に取着した隔壁部材とによって構成したから、吐出弁を用いないで吐出口を開閉することができ、ピストン部材の構成を簡単にすることができた。
吐出口の開閉は、突出リングと隔壁部材上端の円錐筒の接圧、離合によるものであるから、開閉動作は簡単、正確である。
【００２４】
ピストン本体に設けた摺動体をシリンダーの大径円筒部に摺接させ、隔壁部材の摺動円錐筒を縮径円筒部に摺接させるようにしたから、蓄圧室を大きくすることもでき、設計の自由度が大きくなった。
【図面の簡単な説明】
【図１】本発明噴霧器の一部断面正面図である。
【図２】噴出器を取着したキャップの断面図である。
【図３】（ａ）はポンプ本体の底面図、（ｂ）は図２のＡ−Ａ線におけるポンプの断面図である。
【図４】噴出器の押圧時の説明図である。
【図５】最下降時の説明図である。
【図６】噴出器の上昇途中の説明図である。
【符号の説明】
Ａ      口筒部
Ｂ      キャップ
Ｃ      ポンプ
Ｃ１    シリンダー部材
Ｃ２    ピストン部材
Ｄ      噴霧ノズル
Ｐ      蓄圧室
ｓ      間隙
４      案内筒
５      ノズル案内筒
１１    シリンダー筒
１２    大径円筒部
１３    縮径円筒部
２０    ピストン本体
２１    隔壁部材
２２    ピストン筒
２２ａ  流路
２３    スカート部
２４    環状板
２５    突出リング
２６    連結杆
２７    支持軸
２８    液吐出口
３０    円錐筒
３１    円筒部
３２    拡径円筒部
３３    流通孔
３４    弁座
３５    ボール弁
３６    摺動円錐筒
３７    コイルばね
４２    嵌着筒
４３    噴出孔
４４    噴出路
４５    ノズルチップ
４６    流路
【図１】
0004429553.tif 000002
【図２】
0004429553.tif 000003
【図３】
0004429553.tif 000004
【図４】
0004429553.tif 000005
【図５】
0004429553.tif 000006
【図６】
0004429553.tif 000007